(57)【特許請求の範囲】
【請求項１】
木材を素材とする支持部材を地盤上に棚状または千鳥状に配置し、前記地盤と前記支持部材との間に、連続気泡を有する発泡ガラスの塊状体を柔軟な網材で形成された網袋に充填したものを配置し、連続気泡を有する発泡ガラスの粒状体と堆肥と植物種子と粘着材とを含有する基盤材を前記地盤上に吹き付けて硬化させることによって前記支持部材および前記塊状体を覆う客土層を形成することを特徴とする法面緑化工法。
【請求項２】
木材を素材とする支持部材を地盤上に棚状または千鳥状に配置し、前記地盤と前記支持部材との間に、連続気泡を有する発泡ガラスの塊状体を柔軟な網材で形成された網袋に充填したものを配置し、前記支持部材および前記塊状体を覆う状態に網状体を張設し、さらに、連続気泡を有する発泡ガラスの粒状体と堆肥と植物種子と粘着材とを含有する基盤材を前記地盤上に吹き付けて硬化させることによって前記支持部材、前記塊状体および網状体を覆う客土層を形成することを特徴とする法面緑化工法。
【請求項３】
前記地盤の上下方向に隣接する前記支持部材の間に、木材を素材とする別の支持部材を配置した請求項１または２記載の法面緑化工法。
【請求項４】
前記支持部材に通水機能を有する貫通孔を設けた請求項１〜３のいずれかに記載の法面緑化工法。
【発明の詳細な説明】
【０００１】
【発明の属する技術分野】
本発明は、山間地の傾斜面や新規造成地の傾斜面などに植物が生育可能な法面を構築する技術に関する。
【０００２】
【従来の技術】
山間地あるいは新規造成地などの傾斜地盤においては、景観の向上などを目的として、法面の緑化工事が施工されている。このような法面緑化工事では、従来より、地盤面に土砂崩壊防止用の補助部材やネットなどを固定して、これらの上に客土層を形成する工法が採用されている。また、このような法面緑化工事で使用する補助部材やネットなどについても様々なものが開発されている。
【０００３】
従来の法面緑化技術として、例えば、特開平６−２５７１５７号公報、特開平９−１１９１３６号公報などで開示されているものがある。
【０００４】
特開平６−２５７１５７号公報に開示されている法面緑化工法においては、施工面に固定した土留め用ストッパ上に、苗木根が貫通可能な植生袋に混合土壌を充填したものを設置、固定し、この植生袋に苗木を植えることによって緑化法面を構築する。
【０００５】
一方、特開平９−１１９１３６号公報に開示されている法面緑化工法においては、法面上に多数の柵状体を連結固定して複数の堰を形成し、これらの堰の上方を網状体で覆い、さらに、その上に肥料や植物種子などを含む客土などを施して着根層を形成することによって緑化法面を構築する。
【０００６】
また、そのほかの法面緑化工法として、法面上に網状の土留め用ストッパを複数配置し、その上を金網などで覆い、さらに、これらの上に植物種子などを混入させた客土層を形成することによって緑化法面を構築する工法などがある。
【０００７】
【発明が解決しようとする課題】
特開平６−２５７１５７号公報に開示されている法面緑化工法の場合、施工面に固定した多数の土留め用ストッパ上に、混合土壌を充填した植生袋をそれぞれ設置、固定しなければならないので、混合土壌の充填作業、混合土壌が充填された植生袋の運搬作業および設置作業などに多大な労力と時間とを要し、工期が長期化する。
【０００８】
特開平９−１１９１３６号公報に開示された法面緑化工法は、多数の柵状体を連結固定して堰を形成するものであるため、各々の柵状体にはそれぞれ連結機構を設ける必要があり、その構造が複雑で製作に多くの手間を要している。また、柵状体を横方向に連結固定して連続した堰を形成する必要があるので、凹凸や起伏の多い法面においては採用が困難である。
【０００９】
そのほか、法面上に網状の土留め用ストッパを複数配置し、その上を金網などで覆い、さらに、これらの上に植物種子などを混入させた客土層を形成する緑化法面工法の場合、網状の土留め用ストッパは保水性を有していないので、植物が必要とする水分や養分を十分に保持できず、降雨量の少ない地方では苗木などの生育状態が悪化することがある。
【００１０】
一方、山間地方においては大量の間伐材が発生しており、大雨のときなどは、傾斜面に放置された間伐材が流木となって河川に流れ込み、ダム、貯水池あるいは下流地域などで災害を引き起こす要因となっている。
【００１１】
本発明は、このような間伐材の有効利用を図ることをも意図してなされたものであり、本発明が解決しようとする課題は、客土層の流出や崩落が発生せず、保水性に優れ、植物の生育も良好な緑化法面を構築できる法面緑化工法を提供することにある。
【００１２】
【課題を解決するための手段】
本発明の法面緑化工法は、木材を素材とする支持部材を地盤上に棚状又は千鳥状に配置し、前記地盤と前記支持部材との間に、連続気泡を有する発泡ガラスの塊状体を布設し、前記支持部材および前記塊状体を覆う客土層を形成することを特徴とする。ここで、棚状に配置するとは、支持部材が地盤上で横方向に連続した棚を形成するように配置することをいい、千鳥状に配置するとは、複数の支持部材を地盤上に縦横方向に所定間隔ごとに配置し、上下方向に隣接する支持部材の列において支持部材とその間の空間とが上下の列で交互となるように配置することをいう。
【００１３】
木材を素材とする支持部材は、その木材繊維が適度の吸水性および保水性を備えており、発泡ガラスの塊状体は多数の連続気泡を有していることで、地下水や雨水などを適度に吸収し、過剰な水分を透過する機能を備えているため、支持部材を地盤上に棚状又は千鳥状に配置し、前記地盤と前記支持部材との間に塊状体を布設し、これらを覆う客土層を形成すれば、客土層は地盤上に配置された支持部材で強固に固定されるため、客土層の流出や崩落が防止されるとともに優れた保水性を発揮し、植物の成長に必要な水分や水分中に含まれる養分などを長期間保持することができ、植物の生育が良好な緑化法面を構築することができる。
【００１４】
また、発泡ガラスの塊状体は、その外周から内部に連続した気泡を有しているため、客土層中において有益な土壌微生物などの住処となり、これらの働きによっても植物の生育が活性化される。さらに、塊状体はガラス質であるため化学的に安定であり、有害物質の溶出や腐食なども生じないため、環境汚染のおそれがなく、耐久性にも優れている。
【００１５】
ここで、支持部材は、一般木材を利用して製作することができるが、間伐材を利用して製作することが望ましく、これにより、山間部の傾斜面などに放置されていた間伐材の有効利用を図ることができるようになり、間伐材の流木化による弊害も防止することができるようになる。また、塊状体は、新たなガラス材で製造することができるが、廃棄された空瓶やガラス廃材などを原料として製造することもできるため、ガラス資源の有効活用が図られ、ガラス廃材の不法投棄が減少し、自然環境の保護に寄与することができる。
【００１６】
なお、木材を素材とする支持部材については、その形状やサイズなどを特に限定するものではないが、法面緑化工事現場の平均的施工条件を考慮した場合、直径１００〜３００ｍｍ程度、長さ５００〜５０００ｍｍ程度の丸太材（円柱体）などが好適である。また、発泡ガラスの塊状体についても、その形状やサイズなどを特に限定するものではないが、前記平均的施工条件を考慮すると、外径５〜５０ｍｍ程度の大きさの不定形状体が好適であり、地盤と支持部材との間に布設したとき、塊状体同士が互いに密着して隙間なく布設できることが望ましい。
【００１７】
また、本発明の法面緑化工法は、木材を素材とする支持部材を地盤上に棚状または千鳥状に配置し、前記地盤と前記支持部材との間に、連続気泡を有する発泡ガラスの塊状体を布設し、前記支持部材および前記塊状体を覆う状態に網状体を張設し、さらに、前記支持部材、前記塊状体および網状体を覆う客土層を形成することを特徴とする。
【００１８】
地盤上に配置された支持部材および発泡ガラスの塊状体を覆うように網状体を張設し、これらの上に客土層を形成するので、客土層はより強固に固定され、ここで生育する植物の根は網状体に絡むように伸長するので、客土層の流出や崩落、植物の脱落などを防止する機能がさらに向上する。
【００１９】
ここで、前記客土層を、連続気泡を有する発泡ガラスの粒状体と堆肥と植物種子と粘着材とを含有する基盤材を前記地盤上に吹き付けて硬化させることによって形成することができる。このような基盤材を吹き付けて硬化させることにより、客土層の表面は植物が生長可能な適度の硬さとなり、工事完了後も長期間にわたりその硬さが保たれるだけでなく、客土層内においては、基盤材に含有される粘着材の作用により、発泡ガラスの粒状体、堆肥、植物種子などが互いに固結して団粒化構造が形成されるため、降雨などによる客土層の浸食、風による基盤材の飛散などが発生せず、耐久性に優れた緑化法面を構築することができる。また、この客土層は乾燥時期においても適度の保水性を維持することができるため、植物が枯死するようなことがなく、安定した生育状態を確保することができる。
【００２０】
また、客土層を構成する基盤材が発泡ガラスの粒状体を含有していることにより、客土層の内部に、植物の根や芽などの生育に必要とされる隙間を確保することができるので、工事完了後、発芽した植物種子は堆肥などに含まれる養分を吸収しながら客土層の表面から外部へ成長していき、緑豊かな緑化法面を構築することができる。この粒状体は、多数の微小連続気泡を有する発泡ガラスで形成され、比較的軽量で、地下水や雨水などを適度に吸収し、余分な水分は透過する機能を備えているため、工事完了後、長期間経過しても、初期の軽量性が失われることがなく、客土層の流出や崩落などを防止することができる。
【００２１】
さらに、発泡ガラスの粒状体は、その外周から内部へ連続した気泡を有するため、客土層中において有益な土壌微生物などの住処となり、これらの働きによっても植物の生育状態が活性化される。これらの粒状体はガラス質であるため化学的に安定であり、有害物質の溶出や腐食なども生じないため、環境汚染のおそれがなく、耐久性にも優れている。なお、発泡ガラスの粒状体は、新たなガラス材はもちろん、廃棄された空瓶やガラス廃材などを原料として製造することもできるため、資源の有効活用を図り、資源環境の保護に寄与することができる。
【００２２】
なお、堆肥としては、落ち葉、藁、塵芥、野草などを積み重ね、腐敗させて作った有機物質の混合物が好適であり、客土層に含有される植物種子が成長する際の養分供給源となるほか、保肥力の増強、保水性や通気性の改善、土壌微生物の活動促進などの作用があるため、良好な植物生育基盤を形成することができる。この場合、基盤材に各種化学肥料を添加しておけば、植物の成長をさらに促進することができる。
【００２３】
一方、前記地盤の上下方向に隣接する前記支持部材の間に、木材を素材とする支持部材を配置することにより、支持部材同士が互いに縦横に連結した構造体を地盤上に形成することが可能となるため、客土層の保持力を高め、客土層の流出や崩落を防止する機能をさらに向上させることができる。
【００２４】
また、木材を素材とする前記支持部材に通水機能を有する貫通孔を設けることにより、客土層に浸透した雨水などを貫通孔を通して下方へ流出させることができるようになり、客土層中の通気性も確保されるので、客土層の過剰水分を効率良く排出し、植物生育に適した水分量および通気性を維持できるほか、雨天などによる客土層の流出を防止することができる。
【００２５】
なお、貫通孔のサイズや個数、貫通孔を設ける位置などは特に限定するものではないが、支持部材の長手方向と交差する方向に貫通するように複数設けることが望ましく、貫通孔の内径は発泡ガラスの塊状体あるいは発泡ガラスの粒状体などの客土層の構成物質が通過しない程度とすることが望ましい。
【００２６】
【発明の実施の形態】
図１は本発明の実施の形態である法面緑化工法の工程説明図、図２は図１の法面緑化工法の工程中における支持部材の固定手順を示す説明図、図３は図１の法面緑化工法の工程中における支持部材の配置状態を示す説明図、図４は図１に示す法面緑化工法で構築した緑化法面の縦断面図である。
【００２７】
本実施形態の法面緑化工法においては、まず、図１（ａ）に示すように、緑化法面を構築すべき傾斜した地盤１に所定間隔ごとにアンカーボルト２を打ち込んで固定し、それぞれのアンカーボルト２を介して、間伐材を素材とする支持部材３の側面の一部を地盤１の表面に密着させて固定する。この場合、図２に示すように、地盤１に固定されたアンカーボルト２を、支持部材３に予め開設されたボルト孔４に挿通させることによって支持部材３を地盤１の表面に係止した後、アンカーボルト２の先端にナット５を螺着させることによって支持部材３を地盤１の表面に密着状態に固定する。また、支持部材３には、ボルト孔４のほか、通水機能を有する複数の貫通孔６が設けられているので、貫通孔６の軸方向が地盤１の表面とほぼ平行をなすように支持部材３を配置する。
【００２８】
本実施形態では、図３に示すように、外径１００〜３００ｍｍ程度、長さ５００〜５０００ｍｍ程度の複数の支持部材３を地盤１の表面に千鳥状に配置しているが、地盤１の強度や他の施工条件に応じて、縦横方向に０．５〜３．０ｍ程度の間隔で配置することが望ましい。支持部材３の配置および固定が完了したら、地盤１と各支持部材３との間にそれぞれ発泡ガラスの塊状体７を布設すると、前述した図１（ａ）の状態となる。この場合、発泡ガラスの塊状体７は互いにバラバラ状態のまま地盤１と支持部材３との間に布設することもできるが、布設された塊状体７が、後述する基盤材１０の吹き付け工程においてエアガンなどによって吹き飛ばされるのを回避するため、柔軟な網材で形成された網袋１５に塊状体７を充填したものを地盤１と支持部材３との間に配置することが望ましい。
【００２９】
支持部材３の配置、固定および発泡ガラスの塊状体７の布設が完了したら、図１（ｂ）に示すように、地盤１、支持部材３および塊状体７を覆うようにラス金網８を張設し、係止ピン９を用いて地盤１に固定する。ここで、ラス金網８とは亜鉛メッキ鉄線を素材とする菱形金網のことであり、一定のピッチで山形に曲げられた列線を互いに絡ませることによって形成した平行四辺形の編み目を有する網状体である。
【００３０】
ラス金網８の張設が完了したら、図１（ｃ）に示すように、地盤１、支持部材３、塊状体７およびラス金網８を覆うように、地盤１に向けて基盤材１０を吹き付けて硬化させることにより客土層１１を形成する。基盤材１０は、連続気泡を有する発泡ガラスの粒状体１２、堆肥、植物種子、粘着材および化学肥料などを含有しているため、工事完了後時間が経過すると、図４に示すように、客土層１１中の植物種子が発芽し外部に向かって植物１３が成長していき、緑豊かな緑化法面１４が構築される。
【００３１】
間伐材を素材とする支持部材３は、その木材繊維が適度の吸水性および保水性を備えており、発泡ガラスの塊状体７は多数の連続気泡を有していることで、地下水や雨水などを適度に吸収し、過剰な水分を透過する機能を備えているため、支持部材３を地盤１上に千鳥状に配置し、地盤１と支持部材３との間に塊状体７を布設し、これらを覆う客土層１１を形成すれば、客土層１１は地盤１上に配置された支持部材３で強固に固定されるため、客土層１１の流出や崩落が防止されるとともに優れた保水性を発揮し、植物１３の成長に必要な水分や水分中に含まれる養分などを長期間保持することができ、植物１３が良好に生育する緑化法面１４を構築することができる。
【００３２】
また、地盤１、支持部材３および塊状体７とを覆うようにラス金網８を張設し、これらの上に基盤材１０を吹き付け、硬化させて客土層１１を形成するので、客土層１１はきわめて強固に地盤１に固定され、客土層１１で生育する植物１３はラス金網８や塊状体７に絡むように成長していくため、客土層１１の流出や崩落、植物１３の脱落などを有効に防止することができる。なお、地盤１の勾配が緩やかであり、地盤１に対する基盤材１０の密着力も強いなどの施工条件が整えば、ラス金網８なしで客土層１１を形成することも可能である。
【００３３】
また、発泡ガラスの塊状体７および粒状体１２は、その外周から内部に連続した気泡を有しているため、客土層１１中において有益な土壌微生物などの住処となり、これらの働きによっても植物の生育が活性化される。さらに、塊状体７および粒状体１２はいずれもガラス質であるため化学的に安定であり、有害物質や溶出や腐食なども生じないため、環境汚染のおそれがなく、耐久性にも優れている。
【００３４】
さらに、本実施形態では、客土層１１は、粒状体１２、堆肥、植物種子、粘着材および化学肥料などを含有する基盤材１０を地盤１上に吹き付けて硬化させることによって形成されているため、客土層１１においては、基盤材１０に含まれる粘着材により粒状体１２、堆肥、植物種子などが互いに固結して団粒化構造が形成され、降雨などによる客土層１１の浸食や、風による基盤材１０の飛散などを防止することができる。
【００３５】
基盤材１０に含まれる堆肥は、落ち葉、藁、塵芥、野草などを積み重ね、腐敗させて作った有機物質の混合物であり、客土層１１に含有される植物種子が成長する際の養分供給源となるほか、保肥力の増強、保水性や通気性の改善、土壌微生物の活動促進などの作用があるため、良好な植物生育基盤を形成することができる。また、基盤材１０に化学肥料を添加しているため、植物１３の成長をさらに促進することができる。
【００３６】
また、客土層１１は発泡ガラスの粒状体１２を含有しているので、客土層１１の内部に、植物１３の根や芽などの生育に必要とされる隙間を確保することができ、工事完了後、発芽した植物種子は堆肥などに含まれる養分を吸収しながら客土層１１の表面から外部へ順調に成長していき、緑豊かな緑化法面１４を構築することができる。この粒状体１２は、前述したように、多数の微小連続気泡を有する発泡ガラスで形成され、比較的軽量で、地下水や雨水などを適度に吸収し、余分な水分は透過する機能を備えているため、工事完了後、長期間経過しても、初期の軽量性が失われることがなく、客土層１１の流出や崩落などを防止することができる。
【００３７】
本実施形態においては、支持部材３は間伐材を用いて製作しているので、これまで山間部の傾斜面などに放置されていた間伐材の有効利用を図ることができ、間伐材の流木化による様々な弊害も防止することができる。なお、支持部材３の素材は間伐材に限定するものではないので、一般木材やその他の廃木材を素材として製作することもできる。また、発泡ガラスの塊状体７および粒状体１２は、新たなガラス材で製造することができるが、本実施形態においては、廃棄された空瓶やガラス廃材などを原料として製造したものを使用しているため、資源の有効活用が図られ、ガラス廃材の不法投棄が減少し、自然環境の保護に寄与することができる。
【００３８】
さらに、各支持部材３には、通水機能を有する複数の貫通孔６を設けているため、客土層１１に浸透した雨水などを貫通孔６を通して下方へ流出させることができ、客土層１１中の通気性も確保されるので、客土層１１の過剰水分を効率良く排出し、植物１３の生育に適した水分量および通気性を維持できるほか、雨水などによる客土層１１の流出を防止することができる。
【００３９】
貫通孔６のサイズや個数、貫通孔６を設ける位置などは特に限定するものではないが、支持部材３の長手方向と交差する方向に貫通するように複数設けることが望ましく、貫通孔６の内径は発泡ガラスの塊状体７あるいは粒状体１２などの客土層１１の構成物質が通過しない程度とすることが望ましい。なお、本実施形態では、貫通孔６の内径は１０〜２０ｍｍ程度であり、支持部材３の長さ１ｍ当たり１０〜２０個の貫通孔を設けたところ、塊状体７や粒状体１２などが流出することなく、優れた通水性および通気性を確保することができた。
【００４０】
次に、図５，図６，図７を参照して、支持部材配置状態に関するその他の実施形態について説明する。なお、図５〜図７において、第１実施形態と同じ機能、効果などを有する部分については図１〜図４の場合と同じ符号を付して説明を省略する。
【００４１】
図５に示す実施の形態では、間伐材で製作した複数の支持部材３を地盤１上に棚状に配置し、地盤１と支持部材３との間に、連続気泡を有する発泡ガラスの塊状体７を布設している。複数の支持部材３が地盤上１で横方向に連続した棚を形成するように配置しているため、この後の工程で形成される客土層（図示せず）の流出や崩落を防止する機能が優れている。
【００４２】
図６に示す実施の形態では、間伐材で製作した複数の支持部材３を地盤１上に棚状に配置するとともに、地盤１の上下方向に隣接する支持部材３の間に、同じく間伐材を素材とする支持部材３ａを支持部材３とほぼ直角をなすように配置し、地盤１と支持部材３との間に、連続気泡を有する発泡ガラスの塊状体７を布設している。支持部材３，３ａをこのように配置することにより、支持部材３，３ａ同士が互いに縦横に連結した格子状の構造体が地盤１上に形成されるため、客土層の保持力が高まり、客土層の流出や崩落を防止する機能がさらに向上する。本実施形態は、地盤１の状態が良好な場合、例えば、地盤１が礫質土である場合などに適切な工法であり、施工が比較的簡単であるという点で優れている。
【００４３】
図７に示す実施の形態では、間伐材で製作した複数の支持部材３を地盤１上に棚状に配置するとともに、地盤１の上下方向に隣接する支持部材３の間に、同じく間伐材を素材とする支持部材３ｂを斜めに配置し、地盤１と支持部材３との間に、連続気泡を有する発泡ガラスの塊状体７を布設している。支持部材３，３ｂをこのように配置することにより、支持部材３，３ｂ同士が互いに連結した三角格子状の構造体が地盤１上に形成されるため、客土層の保持力が高まり、客土層の流出や崩落を防止する機能がさらに向上する。本実施形態は、地盤１の地質が崩積土である場合あるいは土砂地盤である場合などに好適な工法であり、施工に多少の手間はかかるが優れた地盤補強効果を発揮する点で優れている。
【００４４】
【発明の効果】
本発明により、以下に示す効果を奏する。
【００４５】
（１）木材を素材とする支持部材を地盤上に棚状又は千鳥状に配置し、前記地盤と前記支持部材との間に、連続気泡を有する発泡ガラスの塊状体を布設し、前記支持部材および前記塊状体を覆う客土層を形成することにより、客土層の流出や崩落が発生せず、保水性に優れ、植物の生育も良好な緑化法面を構築できる。
【００４６】
（２）木材を素材とする支持部材を地盤上に棚状または千鳥状に配置し、前記地盤と前記支持部材との間に、連続気泡を有する発泡ガラスの塊状体を布設し、前記支持部材および前記塊状体を覆う状態に網状体を張設し、さらに、前記支持部材、前記塊状体および網状体を覆う客土層を形成することにより、保水性に優れ、植物の生育も良好な緑化法面を構築できるほか、客土層の流出や崩落、植物の脱落などを防止する機能がさらに向上する。
【００４７】
（３）前記客土層を、連続気泡を有する発泡ガラスの粒状体と堆肥と植物種子と粘着材とを含有する基盤材を前記地盤上に吹き付けて硬化させることによって形成すると、降雨などによる客土層の浸食、風による基盤材の飛散などが発生せず、保水性および耐久性に優れた緑化法面を構築することができ、植物の生育状態もさらに安定する。
【００４８】
（４）前記地盤の上下方向に隣接する前記支持部材の間に、木材を素材とする支持部材を配置することにより、支持部材同士が互いに縦横に連結した構造体を地盤上に形成することが可能となるため、客土層の保持力を高め、客土層の流出や崩落を防止する機能をさらに向上させることができる。
【００４９】
（５）木材を素材とする前記支持部材に通水機能を有する貫通孔を設けることにより、客土層において植物生育に適した水分量および通気性を維持できるようになり、適度の排水性も確保できるため、雨天などによる客土層の流出を防止することができるようになる。
【図面の簡単な説明】
【図１】  本発明の実施の形態である法面緑化工法の工程説明図である。
【図２】  図１の法面緑化工法の工程中における支持部材の固定手順を示す説明図である。
【図３】  図１の法面緑化工法の工程中における支持部材配置状態を示す説明図である。
【図４】  図１に示す法面緑化工法で構築した緑化法面の縦断面図である。
【図５】  支持部材配置状態に関するその他の実施形態を示す説明図である。
【図６】  支持部材配置状態に関するその他の実施形態を示す説明図である。
【図７】  支持部材配置状態に関するその他の実施形態を示す説明図である。
【符号の説明】
１  地盤
２  アンカーボルト
３，３ａ，３ｂ，  支持部材
４  ボルト孔
５  ナット
６  貫通孔
７  発泡ガラスの塊状体
８  ラス金網
９  係止ピン
１０  基盤材
１１  客土層
１２  発泡ガラスの粒状体
１３  植物
１４  緑化法面
１５  網袋
【図１】
0003664673.tif 000002
【図２】
0003664673.tif 000003
【図３】
0003664673.tif 000004
【図４】
0003664673.tif 000005
【図５】
0003664673.tif 000006
【図６】
0003664673.tif 000007
【図７】
0003664673.tif 000008